【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】ネット家電簡単接続システム
【手続補正２】
【補正対象書類名】明細書
【補正対象項目名】特許請求の範囲
【補正方法】変更
【補正の内容】
【特許請求の範囲】
【請求項１】
利用者がネットワークを介してサービスを受けるためにサービス業者へのサーバコンピュータ（以下簡単接続サーバ）と前記利用者が所有するネット家電間は情報通信回線を介して、前記ネット家電からの常時接続により通信可能な状態にあり、前記簡単接続サーバでは前記各ネット家電がインターネット接続に必要な接続情報（以下、ＩＳＰ接続情報）を蓄積するネット家電設定情報蓄積手段と、前記ネット家電からの常時接続確立時に端末機器特定番号（前記ネット家電が設置された家庭宅の識別番号）による認証を行う端末機器特定認証手段、前記ネット家電からのＩＳＰ接続情報要求に応じて、前記ネット家電設定情報蓄積手段に蓄積された前記ＩＳＰ接続情報を検索する検索処理手段、前記端末機器特定に対応する前記ＩＳＰ接続情報を前記ネット家電に送信するＩＳＰ接続情報送信手段を含み、各前記ネット家電は、前記簡単接続サーバに接続を行うための接続手段と前記ＩＳＰ接続情報を受信するＩＳＰ接続情報受信手段を含むことを特徴とするネット家電簡単接続システム。
【請求項２】
簡単接続サーバでは各ネット家電がインターネット接続に必要な接続情報（以下、ＩＳＰ接続情報）を蓄積するネット家電設定情報蓄積手段と、前記ネット家電からの接続確立時に端末ＩＤによる認証を行う端末ＩＤ認証手段、前記ネット家電からのＩＳＰ接続情報要求に応じて、前記ネット家電設定情報蓄積手段に蓄積された前記ＩＳＰ接続情報を検索する検索処理手段、前記端末ＩＤに対応する前記ＩＳＰ接続情報を前記ネット家電に送信するＩＳＰ接続情報送信手段を含み、各前記ネット家電は、前記端末ＩＤ、及び前記簡単接続サーバのアクセス先を蓄積する手段、前記簡単接続サーバへの接続を行う手段、及び前記ＩＳＰ接続情報を受信するＩＳＰ接続情報受信手段を含むことを特徴とするネット家電簡単接続システム。
【請求項３】
前記ネット家電設定情報蓄積手段は、少なくとも、各前記ネット家電に対応する前記端末機器特定と前記端末機器特定に対応する前記ＩＳＰ接続情報を蓄積することを特徴とする請求項１記載のネット家電簡単接続システム。
【請求項４】
前記ネット家電設定情報蓄積手段は、少なくとも、各前記ネット家電に対応する前記端末ＩＤと前記端末ＩＤに対応する前記ＩＳＰ接続情報を蓄積することを特徴とする請求項２記載のネット家電簡単接続システム。
【請求項５】
前記ネット家電設定情報蓄積手段は、前記端末機器特定または前記端末ＩＤに対応する前記ネット家電設置対象家庭の代表者の氏名、住所等を含むことができる請求項１または２記載のネット家電簡単接続システム。
【請求項６】
前記ネット家電設定情報蓄積手段は、前記端末機器特定または前記端末ＩＤに対応する前記ネット家電の設置作業者（または前記ネット家電の設置事業者）のメールアドレスを格納することができる請求項１または２に記載のネット家電簡単接続システム。
【請求項７】
前記ＩＳＰ接続情報を受信した前記ネット家電に画面がある場合には、前記ネット家電に前記ネット家電設置対象家庭の氏名、住所、端末機器特定等を表示することで、前記ネット家電に前記家庭宅に対応する前記ＩＳＰ接続情報の設定が完了したことを確認できる請求項５記載のネット家電簡単接続システム。
【請求項８】
前記ネット家電設置作業者（または前記ネット家電設置事業者）に接続設定が完了したことを前記家庭ネット家電設置対象家庭の代表者氏名、及び住所等の内容を含むメールを配信する請求項６記載のネット家電簡単接続システム。
【手続補正３】
【補正対象書類名】明細書
【補正対象項目名】０００５
【補正方法】変更
【補正の内容】
【０００５】
本発明はかかる問題点に鑑みてなされたものであり、その目的は、設置作業者がＩＳＰ接続情報の入力を行わずに、容易にインターネット接続設定することを可能にするネット家電簡単接続システムを提供することにある。
【手続補正４】
【補正対象書類名】明細書
【補正対象項目名】０００６
【補正方法】変更
【補正の内容】
【０００６】
本発明は、また、ネット家電に自動設定されたＩＳＰ接続情報が設置家庭宅のものかをネット家電の画面、または、メール配信にて確認できるネット家電簡単接続システムを提供することを目的とする。
【手続補正５】
【補正対象書類名】明細書
【補正対象項目名】０００９
【補正方法】変更
【補正の内容】
【０００９】
本発明の請求項１における原理を図１に示す。設置者がネット家電の電源をＯＮすると（ステップ１）、ネット家電は簡単接続サーバに常時接続のための手続を行い（ステップ２）、その際、端末機器特定の通知を行う（ステップ３）。簡単接続サーバはネット家電からの接続を受け、端末機器特定による認証とそれに対応するＩＳＰ接続情報の取得を行い（ステップ４）、ネット家電に対してＩＳＰ接続情報を送信する（ステップ５）。ネット家電は簡単接続サーバから受信したＩＳＰ接続情報を設定し、ＩＳＰに常時接続を行い（ステップ６）、その後、ＩＳＰとの間で認証番号、暗証番号をもとに接続が確立される（ステップ７）。
【手続補正６】
【補正対象書類名】明細書
【補正対象項目名】００１１
【補正方法】変更
【補正の内容】
【００１１】
本発明の請求項２における原理を図２に示す。設置者がネット家電の電源をＯＮすると（ステップ１）、ネット家電は簡単接続サーバに接続を行い（ステップ２）、その際、端末ＩＤの通知を行う（ステップ３）。簡単接続サーバはネット家電からの接続を受け、端末ＩＤによるＨＴＴＰダイジェスト認証とそれに対応するＩＳＰ接続情報の取得を行い（ステップ４）、ネット家電に対してＩＳＰ接続情報を送信する（ステップ５）。ネット家電は簡単接続サーバから受信したＩＳＰ接続情報を設定し、ＩＳＰに接続を行い（ステップ６）、その後、ＩＳＰとの間で認証番号、暗証番号をもとに接続が確立される（ステップ７）。
【手続補正７】
【補正対象書類名】明細書
【補正対象項目名】００１７
【補正方法】変更
【補正の内容】
【００１７】
本発明の請求項７における原理を図３に示す。図３は図１、図２を詳細化したものである。設置者がネット家電の電源をＯＮすると（ステップ１０１）、ネット家電は簡単接続サーバに接続を行い（ステップ１０２）、その際に端末機器特定または端末ＩＤの通知を行う（ステップ１０３）。簡単接続サーバはネット家電からの接続を受け、端末機器特定または端末ＩＤによる認証とそれに対応するＩＳＰ接続情報の取得を行い（ステップ１０４）、簡単接続サーバはＩＳＰ接続情報、及びネット家電設置対象家庭宅の代表者氏名、住所等をネット家電に送信する（ステップ１０５）。ネット家電は簡単接続サーバから受信したＩＳＰ接続情報を設定し（ステップ１０６）、ネット家電の画面に氏名、住所等を表示（ステップ１０７）、設置者は表示された内容が該家庭宅のものか確認を行う（ステップ１０８）。ネット家電はＩＳＰ接続情報が正常に設定されたことを簡単接続サーバに送信した後（ステップ１０９）、ＩＳＰに接続を行い、ＩＳＰとの間で認証番号、暗証番号をもとに接続が確立される（ステップ１１０）。
【手続補正８】
【補正対象書類名】明細書
【補正対象項目名】００１９
【補正方法】変更
【補正の内容】
【００１９】
本発明の請求項８における原理を図４に示す。図４は図１、図２を詳細化したものである。設置者がネット家電の電源をＯＮすると（ステップ２０１）、ネット家電は簡単接続サーバに接続を行い（ステップ２０２）、その際に端末機器特定または端末ＩＤの通知を行う（ステップ２０３）。簡単接続サーバはネット家電からの接続を受け、端末機器特定または端末ＩＤによる認証とそれに対応するＩＳＰ接続情報の取得を行い（ステップ２０４）、簡単接続サーバはＩＳＰ接続情報をネット家電に送信する（ステップ２０５）。ネット家電は簡単接続サーバから受信したＩＳＰ接続情報を設定した後（ステップ２０６）、ＩＳＰ接続情報が正常に設定されたことを簡単接続サーバに送信する（ステップ２０７）。簡単接続サーバはネット家電からの通知を受け、ステップ２０４で認証した端末機器特定または端末ＩＤに対応する設置作業者（またはネット家電設置事業者）のメールアドレスに対して、ステップ２０５でネット家電に送信した内容を含むメールを送信する（ステップ２０８）。メールを受信した設置作業者はその内容を確認し（ステップ２０９）、ネット家電はＩＳＰに接続を行い、ＩＳＰとの間で認証番号、暗証番号をもとに接続が確立される（ステップ２１０）。
【手続補正９】
【補正対象書類名】明細書
【補正対象項目名】００２３
【補正方法】変更
【補正の内容】
【００２３】
本発明の他の簡単接続サーバのサーバ構成図を図９に示す。簡単接続サーバは、ネット家電からの端末ＩＤ通知を受信する受信部２１０、受信した端末ＩＤをＩＳＰ情報蓄積部２３１に照らし合わせ認証を行う端末ＩＤ認証部２２１、ＩＳＰ接続情報、代表者氏名・住所等の情報をネット家電に送信する送信部２４０、及びＩＳＰ情報蓄積部２３１に格納されている設置者メールアドレス宛にＩＳＰ接続情報、代表者氏名・住所等をメールで送信するメール送信部２５０から構成される。図１０はネット家電設定情報蓄積部２３１を示す図である。前記ネット家電蓄積部には、前記端末ＩＤとＩＳＰ接続情報、ネット家電設置対象家庭情報、及び設置作業者（またはネット家電設置事業者）のメールアドレスが一対一に対応づけされ格納される。
【手続補正１０】
【補正対象書類名】明細書
【補正対象項目名】図面の簡単な説明
【補正方法】変更
【補正の内容】
【図面の簡単な説明】
【図１】
本発明の原理説明図
【図２】
本発明の他の原理説明図
【図３】
本発明の別の原理説明図
【図４】
本発明のほかの原理説明図
【図５】
本発明の別のシステム構成図
【図６】
本発明のほかのシステム構成図
【図７】
本発明の簡単接続サーバ構成図
【図８】
ネット家電設定情報蓄積部２３０を示す図
【図９】
本発明の他の簡単接続サーバ構成図
【図１０】
ネット家電設定情報蓄積部２３１を示す図
【図１１】
本発明の実施例を説明するための図
【符号の説明】
１００  ネット家電
１１０  ネット家電に付随する画面
２００  簡単接続サーバ
２１０  受信部
２２０  端末機器特定認証部
２２１  端末ＩＤ認証部
２３０  ネット家電設定情報蓄積部
２３１  ネット家電設定情報蓄積部
２４０  送信部
２５０  メール送信部
３００  メール受信可能携帯
４００  ＩＳＰ
５００  ネット家電設置事業者
６００  情報通信回線網
７００  インターネット